(57)【要約】【課題】  本発明が解決しようとする課題は、ケーブルコネクタの整理と識別を容易にできるようなケーブルコネクタを提供することにある。【解決手段】  第１と第２の電子機器との間で信号を伝達するためのケーブルコネクタは、被覆内に配置される１以上の信号線を備えるケーブルと、前記ケーブルの一端に形成されるコネクタとを含む。前記コネクタは、前記ケーブルに接続される回転部材と、前記回転部材が回転自在に装着される回転部材装着部を備えるメインボディと、前記第１の電子機器の端子部に挿入されるプラグを一端に備え、前記メインボディに対して相対的に移動自在なサブボディとを含む。【選択図】図１
2012033491.tif 000002
【特許請求の範囲】
【請求項１】
第１と第２の電子機器との間で信号を伝達するためのケーブルコネクタであって、
被覆内に配置される１以上の信号線を備えるケーブルと、
前記ケーブルの一端に形成されるコネクタとを含み、
前記コネクタは、
前記ケーブルに接続される回転部材と、
前記回転部材が回転自在に装着される回転部材装着部を備えるメインボディと、
前記第１の電子機器の端子部に挿入されるプラグを一端に備え、前記メインボディに対して相対的に移動自在なサブボディとを含むことを特徴とするケーブルコネクタ。
【請求項２】
前記サブボディの他端には、前記サブボディが前記メインボディから離脱されることを防止する離脱防止突起が形成されることを特徴とする請求項１に記載のケーブルコネクタ。
【請求項３】
前記メインボディと前記サブボディとの間の両接触面のうち、いずれか一方の接触面には弾性突起が形成され、他方の接触面には前記弾性突起とかみ合う複数の溝が形成されることを特徴とする請求項１に記載のケーブルコネクタ。
【請求項４】
前記回転部材と前記回転部材装着部との間の両接触面のうち、いずれか一方の接触面には弾性突起が形成され、他方の接触面には前記弾性突起とかみ合う複数の溝が形成されることを特徴とする請求項１に記載のケーブルコネクタ。
【請求項５】
前記回転部材は、上面と下面に第１と第２の回転ボスを含み、
前記回転部材内で前記ケーブルは第１と第２の内部ケーブルに分割され、
前記第１の内部ケーブルは前記第１の回転ボスの第１の開放部を通過し、前記第２の内部ケーブルは前記第２の回転ボスの第２の開放部を通過することを特徴とする請求項１に記載のケーブルコネクタ。
【請求項６】
前記メインボディは、前記ケーブルと電気的に接続される第１の内部コネクタを含み、
前記サブボディは、前記第１の内部コネクタと電気的に接続される第２の内部コネクタを含むことを特徴とする請求項１に記載のケーブルコネクタ。
【請求項７】
前記第１の内部コネクタは複数の第１の電極を含み、
前記第２の内部コネクタは前記複数の第１の電極と電気的に接続される複数の第２の電極を含み、
前記複数の第１と第２の電極のうちいずれか一方の電極は、前記サブボディの移動距離以上の長さをもつことを特徴とする請求項６に記載のケーブルコネクタ。
【請求項８】
前記第１と第２の内部コネクタのうち、いずれか一方の内部コネクタはオスコネクタであり、他方の内部コネクタはメスコネクタであることを特徴とする請求項６に記載のケーブルコネクタ。
【請求項９】
前記ケーブルコネクタの用途を表示するための表示ユニットを更に含むことを特徴とする請求項１に記載のケーブルコネクタ。
【請求項１０】
前記表示ユニットは、前記コネクタに回転自在に装着される円板部材を含み、
前記円板部材は複数の区域に分割され、
前記円板部材の前記複数の区域のうちいずれか一区域を露出させるウィンドウが前記コネクタに形成されることを特徴とする請求項９に記載のケーブルコネクタ。
【請求項１１】
前記円板部材の前記複数の区域には、相違した色相や文字が形成されることを特徴とする請求項１０に記載のケーブルコネクタ。
【請求項１２】
前記表示ユニットは、前記コネクタに回転自在に装着されるリング部材を含み、
前記リング部材は複数の区域に分割される表示部と外部に露出されるグリップ部を含み、
前記表示部の前記複数の区域のうちいずれか一区域を露出させるウィンドウが前記コネクタに形成されることを特徴とする請求項９に記載のケーブルコネクタ。
【請求項１３】
前記表示部の前記複数の区域には、相違した色相や文字が形成されることを特徴とする請求項１２に記載のケーブルコネクタ。
【請求項１４】
前記コネクタと隣接した前記ケーブルの一部区間にはフレキシブルコイルが形成されることを特徴とする請求項１に記載のケーブルコネクタ。
【請求項１５】
前記フレキシブルコイルは外部に露出され、
前記フレキシブルコイルの直径と前記ケーブルの前記被覆の直径は同様であることを特徴とする請求項１４に記載のケーブルコネクタ。
【請求項１６】
前記フレキシブルコイルは、前記ケーブルの前記被覆内に形成されることを特徴とする請求項１４に記載のケーブルコネクタ。
【請求項１７】
前記サブボディは、押出アルミニウムで形成されることを特徴とする請求項１に記載のケーブルコネクタ。
【請求項１８】
少なくとも一つの信号線を含むケーブルと、
前記ケーブルの一端に設置され、少なくとも一つのボディを含むコネクタと、
前記少なくとも一つのボディに回転自在に設置され、複数の区域を含む表示部を含む表示ユニットと、
前記ボディに形成され、前記表示ユニットの複数の区域のうちいずれか一区域が見えるウィンドウとを含むことを特徴とするケーブルコネクタ。
【請求項１９】
前記表示部の複数の区域のそれぞれには、相違した色相や文字が形成されることを特徴とする請求項１８に記載のケーブルコネクタ。
【請求項２０】
ケーブルと、
メインボディと、
前記ケーブルの一端に固定されて前記メインボディの一端に回転自在に接続される回転部材と、
前記メインボディの他端に移動自在に接続されるサブボディとを含むことを特徴とするケーブルコネクタ。
【発明の詳細な説明】
【技術分野】
【０００１】
本発明は、ケーブルコネクタに関し、より詳細には、形状変更が可能なケーブルコネクタに関する。
【背景技術】
【０００２】
ケーブルコネクタは、二つの電子機器の間で電気的信号を伝達する装置である。例えば、このようなケーブルコネクタは、ＨＤＭＩケーブルコネクタ、ＵＳＢケーブルコネクタ、オーディオケーブルコネクタ、ビデオケーブルコネクタなどであってよい。
【０００３】
一般的に、電子機器には多様なケーブルコネクタが用いられる。例えば、テレビはＤＶＤプレーヤー、セットトップボックス、スピーカ、コンピュータなどのような多様な電子機器と接続できるため、複数のケーブルコネクタがテレビに使われる。この場合、複数のケーブルコネクタが互いを干渉し合い、このようなケーブルコネクタを整理することが困難になる。なお、複数のケーブルコネクタがどの電子機器を接続するのかを識別することが難しくなる。従って、ケーブルコネクタの整理と識別を容易にできるようなケーブルコネクタの開発が求められている。
【先行技術文献】
【特許文献】
【０００４】
【特許文献１】韓国特開第２０００−２５２０１６号公報
【特許文献２】日本特開昭５３−０３９２８４号公報
【特許文献３】日本特開第２０００−２００６５４号公報
【発明の概要】
【発明が解決しようとする課題】
【０００５】
そこで、本発明が解決しようとする課題は、ケーブルコネクタの整理と識別を容易にできるようなケーブルコネクタを提供することにある。
【課題を解決するための手段】
【０００６】
本発明の一実施形態によると、第１と第２の電子機器との間で信号を伝達するためのケーブルコネクタは、被覆内に配置される１以上の信号線を備えるケーブルと、前記ケーブルの一端に形成されるコネクタとを含む。前記コネクタは、前記ケーブルに接続される回転部材と、前記回転部材が回転自在に装着される回転部材装着部を備えるメインボディと、前記第１の電子機器の端子部に挿入されるプラグを一端に備え、前記メインボディに対して相対的に移動自在なサブボディとを含む。
【０００７】
前記サブボディの他端には、前記サブボディが前記メインボディから離脱されることを防止する離脱防止突起が形成されてよい。
【０００８】
前記メインボディと前記サブボディとの間の両接触面のうち、いずれか一方の接触面には弾性突起が形成され、他方の接触面には前記弾性突起とかみ合う複数の溝が形成されてよい。
【０００９】
前記回転部材と前記回転部材装着部との間の両接触面のうち、いずれか一方の接触面には弾性突起が形成され、他方の接触面には前記弾性突起とかみ合う複数の溝が形成されてよい。
【００１０】
前記回転部材は、上面と下面に第１と第２の回転ボスを含み、前記回転部材内で前記ケーブルを第１と第２の内部ケーブルに分割し、前記第１の内部ケーブルは前記第１の回転ボスの第１の開放部を通過し、前記第２の内部ケーブルは前記第２の回転ボスの第２の開放部を通過してよい。
【００１１】
前記メインボディは、前記ケーブルと電気的に接続される第１の内部コネクタを含み、前記サブボディは、前記第１の内部コネクタと電気的に接続される第２の内部コネクタを含んでよい。
【００１２】
前記第１の内部コネクタは複数の第１の電極を含み、前記第２の内部コネクタは前記複数の第１の電極と電気的に接続される第２の電極を含んでよい。前記複数の第１と第２の電極のうちいずれか一方の電極は、前記サブボディの移動距離以上の長さをもってよい。
【００１３】
前記第１と第２の内部コネクタのうち、いずれか一方の内部コネクタはオスコネクタであり、他方の内部コネクタはメスコネクタであってよい。
【００１４】
前記ケーブルコネクタは、前記ケーブルコネクタの用途を表示するための表示ユニットを更に含んでよい。
【００１５】
前記表示ユニットは、前記コネクタに回転自在に装着される円板部材を含み、前記円板部材は複数の区域に分割され、前記円板部材の前記複数の区域のうちいずれか一区域を露出させるウィンドウが前記コネクタに形成されてよい。
【００１６】
前記円板部材の前記複数の区域には、相違した色相や文字が形成されてよい。
【００１７】
前記表示ユニットは、前記コネクタに回転自在に装着されるリング部材を含み、前記リング部材は複数の区域に分割される表示部と外部に露出されるグリップ部を含み、前記表示部の前記複数の区域のうちいずれか一区域を露出させるウィンドウが前記コネクタに形成されてよい。
【００１８】
前記表示部の前記複数の区域には、相違した色相や文字が形成されてよい。
【００１９】
前記コネクタと隣接した前記ケーブルの一部区間にはフレキシブルコイルが形成されてよい。
【００２０】
前記フレキシブルコイルは外部に露出され、前記フレキシブルコイルの直径と前記ケーブルの前記被覆の直径は同様であってよい。
【００２１】
前記フレキシブルコイルは、前記ケーブルの前記被覆内に形成されてよい。
【００２２】
前記サブボディは、押出アルミニウムで形成されてよい。
【発明の効果】
【００２３】
前記のような本発明の一実施形態に係るケーブルコネクタによると、回転部材の回転角度を調整できるため、ケーブルが無闇にテレビの全面に露出することを防止することができる。
【００２４】
なお、本発明の一実施形態に係る２つのケーブルコネクタが隣接して配置された場合、一つのケーブルコネクタの長さを延長することができるため、干渉を防止することができる。
【００２５】
なお、本発明の一実施形態に係るケーブルコネクタは表示ユニットを含むため、ユーザはケーブルコネクタの用途を容易に識別することができる。
【図面の簡単な説明】
【００２６】
【図１】第１実施形態に係るケーブルコネクタを概略的に示す図である。
【図２】図１に示されたケーブルコネクタの分解斜視図を概略的に示す図である。
【図３】図１に示されたケーブルコネクタの断面図を概略的に示す図である。
【図４】図１に示されたケーブルコネクタの断面図を概略的に示す図である。
【図５】図２に示された回転部材装着部を拡大して示す図である。
【図６】第１実施形態に係る二つのケーブルコネクタがテレビの端子部に挿入された様子を概略的に示す図である。
【図７】第２実施形態に係るケーブルコネクタにおいてサブボディの移動による第１、第２の内部コネクタの様子を概略的に示す図である。
【図８】第２実施形態に係るケーブルコネクタにおいてサブボディの移動による第１、第２の内部コネクタの様子を概略的に示す図である。
【図９】第１の内部コネクタを概略的に示す図である。
【図１０】図９のＸ−Ｘ線に沿った断面図を概略的に示す図である。
【図１１】第２の内部コネクタを概略的に示す図である。
【図１２】図１１のＸＩＩ−ＸＩＩ線に沿った断面図を概略的に示す図である。
【図１３】第２の内部コネクタが第１の内部コネクタに挿入された場合の断面図を概略的に示す図である。
【図１４】第３実施形態に係るケーブルコネクタを概略的に示す図である。
【図１５】円板部材の多様な例を概略的に示す図である。
【図１６】第４実施形態に係るケーブルコネクタを概略的に示す図である。
【図１７】図１６に示されたリング部材を概略的に示す図である。
【図１８】第５実施形態に係るケーブルコネクタを概略的に示す図である。
【図１９】第６実施形態に係るケーブルコネクタを概略的に示す図である。
【図２０】図１９のＸＸ−ＸＸ線に沿った断面を概略的に示す図である。
【発明を実施するための形態】
【００２７】
本発明は添付の図面を参照に本発明の好適な実施形態を詳細に説明することにより、更に明確になるであろう。ここで説明する実施形態は、発明の理解を促すために例示的に示したものであり、本発明はここで説明される実施形態とは異なって多様に変形されて実施できることを理解すべきである。なお、発明の理解を促すために、添付の図面は実際の縮尺の通りに示したものではなく、一部の構成要素の尺度が縮小または拡大して示されることがある。
【００２８】
図１は第１実施形態に係るケーブルコネクタ１０を概略的に示したものであり、図２は図１に示されたケーブルコネクタ１０の分解斜視図を概略的に示す図であり、図３はおよび図４は図１に示されたケーブルコネクタ１０の断面図を概略的に示す図である。
【００２９】
このようなケーブルコネクタ１０は、両電子機器の間で電気的信号を伝達するのに使うことができる。例えば、このようなケーブルコネクタ１０は、ＨＤＭＩケーブルコネクタ、ＵＳＢケーブルコネクタ、オーディオケーブルコネクタ、ビデオケーブルコネクタなどであってよい。
【００３０】
ケーブル１００の被覆１０１内には１以上の信号線１０２が形成される。ケーブルコネクタ１０が両電子機器に接続される場合、ケーブル１００内にある１以上の信号線１０２を介して両電子機器間で電気的信号が伝達される。
【００３１】
コネクタ２００は、ケーブル１００の一端に形成される。図１および図２には示されていないが、ケーブル１００の他端にも図１および図２に示されたコネクタ２００と類似した別のコネクタが形成される。コネクタ２００はいずれか一つの電子機器の端子部に挿入されてよい。
【００３２】
図１および図２に示されたように、コネクタ２００は回転部材２１０と、メインボディ２２０と、サブボディ２３０を含む。
【００３３】
回転部材２１０は、ケーブル１００と接続され、メインボディ２２０に回転自在に装着される。メインボディ２２０には回転部材２１０が装着される回転部材装着部２２１が形成される。回転部材２１０が図１の矢印（Ａ）で示したように回転することにより、コネクタ２００とケーブル１００との間の角度が調節される。第１実施形態では、回転部材２１０が１８０度くらい回転できる。しかし、回転部材２１０の回転角度の範囲は必要に応じて変更され得ることを理解すべきである。
【００３４】
図３および図４を参照すると、回転部材２１０にはケーブル１００の通路のための空洞２１１が形成される（図３、４参考）。ケーブル１００は回転部材２１０とメインボディ２２０を通過してサブボディ２３０のプラグ２３１に接続されることができる。説明の便宜のために、コネクタ２００の内部にあるケーブル１００を内部ケーブルと呼ぶ。図面を明確にするために、図２では内部ケーブルが示されていないことに注意すべきである。
【００３５】
回転部材２１０の上面２１０ａには第１の回転ボス２１５ａが形成され、回転部材２１０の下面２１０ｂには第２の回転ボス２１５ｂが形成される。第１、２の回転ボス２１５ａ、２１５ｂは回転部材２１０の回転軸に対して同軸上にあるように配置される。第１、２の回転ボス２１５ａ、２１５ｂは回転部材２１０がメインボディ２２０に対して相対的に回転することを可能とする。
【００３６】
図２ないし図４を参照し、回転部材２１０の上面２１０ａには第１の弾性突起２１７ａが形成され、回転部材２１０の下面２１０ｂには第２の弾性突起２１７ｂが形成される。
【００３７】
図５は、図２に示された回転部材装着部２２１を拡大して示したものである。回転部材装着部２２１には回転部材２１０の第１、第２の回転ボス２１５ａ、２１５ｂの装着されるスロット２２２が形成される。回転部材２１０の上面２１０ａまたは下面２１０ｂと接触する回転部材装着部２２１の接触面には第１、第２の弾性突起２１７ａ、２１７ｂとかみ合うように複数の溝２２７が形成される。図５では、７つの溝２２７が３０度の間隔で一定に配置された様子が示されている。ユーザが一定の力を回転部材２１０に加えると、第１、第２の弾性突起２１７ａ、２１７ｂはいずれか一つの溝２２７から離脱して別の溝２２７とかみ合うことができる。従って、ユーザは計７段階に回転部材２１０の回転角度を調節することができる。このような複数の溝２２７の個数と隣接した溝２２７の間の角度は必要に応じて多様に変更され得ることを理解すべきである。
【００３８】
第１実施形態においては、第１、第２の弾性突起２１７ａ、２１７ｂが回転部材２１０に形成され、複数の溝２２７がメインボディ２２０に形成されているが、第１、第２の弾性突起２１７ａ、２１７ｂがメインボディ２２０に形成され、複数の溝２２７が回転部材２１０に形成されてよい。なお、第１実施形態においては、回転部材２１０の上面２１０ａと下面２１０ｂの全てに第１、第２の弾性突起２１７ａ、２１７ｂが形成されているが、回転部材２１０の上面２１０ａと下面２１０ｂのうちいずれか一面にのみ弾性突起が形成されてよい。
【００３９】
図３および図４を参照すると、ケーブル１００は回転部材２１０の空洞２１１内で第１、第２の内部ケーブル１００ａ、１００ｂに分割される。第１の内部ケーブル１００ａは、第１の回転ボス２１５ａの第１の開放部２１６ａを通過し、第２の内部ケーブル１００ｂは第２の回転ボス２１５ｂの第２の開放部２１６ｂを通過する。それにより、コネクタ２００の上面２００ａとケーブル１００との間の距離ｄ１と、コネクタ２００の下面２００ｂとケーブル１００との間の距離ｄ２は同様になってよい。
【００４０】
ケーブル１００が分割されずに、第１の回転ボス２１５ａの第１の開放部２１６ａを通過する場合には、コネクタ２００の上面２００ａとケーブル１００との間の距離ｄ１がケーブル１００の直径だけコネクタ２００の下面２００ｂとケーブルとの間の距離ｄ２より大きくなる。これは、ケーブル１００がコネクタ２００に対して非対称的に配置されることを意味し、見掛け上望ましくない。この場合、コネクタ２００の上面２００ａとケーブル１００との間の距離ｄ１と、コネクタ２００の下面２００ｂとケーブルとの間の距離ｄ２を同様にするには、無闇にコネクタ２００が厚くなってしまう。第１実施形態には、ケーブル１００が回転部材２１０の空洞２１１内で第１、第２の内部ケーブル１００ａ、１００ｂに分割されるため、コネクタ２００の無駄な厚み増加をもたらさずに、ケーブル１００がコネクタ２００に対して対称的に配置されることができる。
【００４１】
サブボディ２３０は一端で電子機器の端子部に挿入されることのできるプラグ２３１を備える。サブボディ２３０は押出アルミニウムで形成されてよく、それによりコネクタ２００の美感が増大し、サブボディ２３０内の部品を外部の衝撃から安全に保護することができる。
【００４２】
サブボディ２３０は、図１の矢印（Ｂ）に示すように、メインボディ２２０に対して相対的に移動が可能である。このようなサブボディ２３０の移動により、コネクタ２００の全体的な長さが調節できる。図３は、サブボディ２３０が左側に（即ち、メインボディ２２０から遠のく方向に）移動した様子を示し、図４は、サブボディ２３０が右側に（即ち、メインボディ２２０に向かっている方向に）移動した様子を示す。
【００４３】
サブボディ２３０の他端には、離脱防止突起２３２が形成される。離脱防止突起２３２は、サブボディ２３０がメインボディ２２０から離脱することを防止する。
【００４４】
メインボディ２２０と接触するサブボディ２３０の接触面２３３には、弾性突起２３３ａが形成され、サブボディ２３０と接触するメインボディ２２０の接触面２２３には弾性突起２３３ａとかみ合うように、複数の溝２２３ａが形成される。ユーザが一定の力をサブボディ２３０に加えると、弾性突起２３３ａはいずれか一つの溝２２３ａから離脱して別の溝２２３ａとかみ合うようになる。第１実施形態では、メインボディ２２０に４つの溝２２３ａが形成されたため、コネクタ２００の長さは、４段階に調節できる。しかし、このような複数の溝２２３ａの個数は、必要に応じて多様に変更できることを理解すべきである。
【００４５】
なお、第１実施形態では、弾性突起２３３ａがサブボディ２３０に形成され、複数の溝２２３ａがメインボディ２２０に形成されているが、弾性突起２３３ａがメインボディ２２０に形成されて複数の溝２２３ａがサブボディ２３０に形成されてよい。
【００４６】
上述のように、第１実施形態に係るケーブルコネクタ１０はコネクタ２００の長さとコネクタ２００とケーブル１００との間の角度を調節できるという長所を提供する。図６を参照し、第１実施形態に係るケーブルコネクタ１０の長所をより詳細に説明する。
【００４７】
図６は、第１実施形態に係る二つのケーブルコネクタ１０ａ、１０ｂがテレビ１の端子部１ａに挿入された様子を概略的に示すものである。一般的に、テレビ１の端子部１ａはテレビ１の背面に配置される。即ち、図６はテレビ１の背面から眺めた様子である。
【００４８】
ケーブルコネクタ１０ａのケーブル１００が厚い場合、ケーブル１００の柔軟性（Ｆｌｅｘｉｂｉｌｉｔｙ）が減り、点線で示したように、ケーブル１００は無駄にテレビ１の側面を越えて延長することになり、これは見た目上好ましくない。この場合、ユーザはケーブルコネクタ１０ａの回転部材２１０の回転角度を調節してケーブル１００が不要にテレビ１の全面に露出されることを防止することができる。なお、いずれか一つのケーブルコネクタ１０ａが隣接したケーブルコネクタ１０ｂに隣接するように配置される場合、これらケーブルコネクタ１０ａ、１０ｂの間に干渉が生じかねない。この場合、ユーザはケーブルコネクタ１０ａの長さを伸ばして、これらケーブルコネクタ１０ａ、１０ｂの間の干渉を防止することができる。
【００４９】
図７ないし図１３を参照し、本発明の第２実施形態に係るケーブルコネクタ２０を説明する。上述の実施形態で説明した構成要素と同様の機能および作用を有する構成要素には同様の参照符号を付けて詳細な説明は省略する。
【００５０】
第１実施形態では、図３および図４に示されたように、第１、第２の内部ケーブル１００ａ、１００ｂがメインボディ２２０とサブボディ２３０との間で延長されたが、第２実施形態では第１、第２の内部コネクタ２２５、２３５が使われて、第１、第２の内部ケーブル１００ａ、１００ｂとサブボディ２３０のプラグ２３１の間の電気的接続が行なわれる。
【００５１】
図７および図８は、サブボディ２３０の移動による第１、第２の内部コネクタ２２５、２３５の様子を概略的に示すものである。図７は図３と同様にサブボディ２３０が左側に移動した場合に該当し、図８は図４と同様にサブボディ２３０が右側に移動した場合に該当する。
【００５２】
第１の内部コネクタ２２５はメインボディ２２０に形成され、第２の内部コネクタ２３５はサブボディ２３０に形成される。図面を明確にするために、図７および図８では、メインボディ２２０とサブボディ２３０が示されておらず、第１、第２の内部コネクタ２２５、２３５のみが示されたことに留意すべきである。
【００５３】
図９は、第１の内部コネクタ２２５を概略的に示すものであって、図１０は図９のＸ−Ｘ線に沿った断面図を概略的に示す図である。
【００５４】
第１の内部コネクタ２２５は、第１、第２の内部ケーブル１００ａ、１００ｂと電気的に接続され、メインボディ２２０に形成される。第１の内部コネクタ２２５には第１、第２の内部ケーブル１００ａ、１００ｂと電気的に接続される複数の電極２２５ａが形成される。複数のワイヤ２２５ｂは第１の内部コネクタ２２５の複数の電極２２５ｂと第１、第２の内部ケーブル１００ａ、１００ｂを電気的に接続する。
【００５５】
図１１は、第２の内部コネクタ２３５を概略的に示すものであって、図１２は図１１のＸＩＩ−ＸＩＩ線に沿った断面図を概略的に示すものである。
【００５６】
第２の内部コネクタ２３５は、第１の内部コネクタ２２５と電気的に接続され、サブボディ２３０に形成される。サブボディ２３０が移動するにつれ、第２の内部コネクタ２３５も移動するようになる。第２の内部コネクタ２３５では、複数の電極２３５ａが基板２３６上に形成される。第２の内部コネクタ２３５の複数の電極２３５ａは長さ方向に伸びて形成され、第１の内部コネクタ２２５の複数の電極２２５ａと接触することができる。第２の内部コネクタ２３５の複数の電極２３５ａの長さはサブボディ２３０の移動距離以上となる。
【００５７】
第２の内部コネクタ２３５は、第１の内部コネクタ２２５に挿入されてよい。即ち、第２の内部コネクタ２３５がオスコネクタとなり、第１の内部コネクタ２２５はメスコネクタとなる。これとは違って、第１の内部コネクタ２２５がオスコネクタとなり、第２の内部コネクタ２３５がメスコネクタとなる場合も可能であることを理解すべきである。
【００５８】
図１３は、第２の内部コネクタ２３５が第１の内部コネクタ２２５に挿入された場合の断面図を概略的に示すものである。この場合、第１の内部コネクタ２２５の複数の電極２２５ａは第２の内部コネクタ２３５の複数の電極２３５ａと接触するようになる。それにより、第１、第２の内部ケーブル１００ａ、１００ｂは、第１、第２の内部コネクタ２２５、２３５を介してサブボディ２３０のプラグ２３１と電気的に接続できる。
【００５９】
図７および図８に示すように、サブボディ２３０の移動によって、第１、第２の内部コネクタ２２５、２３５の間の相対的な位置も変化するようになる。上述したように、第２の内部コネクタ２３５の複数の電極２３５ａの長さはサブボディ２３０の移動距離以上となるため、第１、第の内部コネクタ２２５、２３５の間の相対的な位置が変化するとしても、第１、第２の内部コネクタ２２５、２３５は電気的に接続できる。
【００６０】
第２実施形態では、第２の内部コネクタ２３５の複数の電極２３５ａが伸びて形成されたが、第１の内部コネクタ２２５の複数の電極２２５ａが長く形成される場合も可能であることを理解すべきである。
【００６１】
図１４および図１５を参照し、第３実施形態に係るケーブルコネクタ３０について説明する。上述の実施形態で説明した構成要素と同様の機能および作用を有する構成要素には同様の参照符号を付けて詳細な説明は省略する。
【００６２】
図１４は、第３実施形態に係るケーブルコネクタ３０を概略的に示すものである。
【００６３】
第３実施形態に係るケーブルコネクタ３０は表示ユニット３００を含む。表示ユニット３００はケーブルコネクタ３０が伝達する信号の種類を表示することができる。これにより、ユーザはケーブルコネクタ３０の用途を容易に識別することができる。
【００６４】
本実施形態で、表示ユニット３００は円板部材３１０を含む。このような円板部材３１０はコネクタ２００のサブボディ２３０に回転自在に装着される。サブボディ２３０には円板部材３１０の一部を露出させるウィンドウ２３８が形成される。ユーザは外部に露出された円板部材３１０の外周面を回して円板部材３１０を回転させることができる。
【００６５】
図１５は、円板部材３１０の多様な例を概略的に示す図である。図１５に示すように、円板部材３１０は４つの区域に分割される。これらの区域には相違した色相と文字が形成される。例えば、円板部材３１０の第１の区域３１１には“ＰＣ”という文字が形成され、円板部材３１０の第２の区域３１２には“ＢＤＰ”という文字が形成され、円板部材３１０の第３の区域３１３には“ＤＶＤ”という文字が形成され、円板部材３１０の第４の区域３１４には“ＨＴＳ”という文字が形成されてよい。円板部材３１０が回転することにより、４つの区域のうち一部の区域のみがサブボディ２３０に形成されたウィンドウ２３８に現れる。
【００６６】
ユーザは円板部材３１０を回転することにより、ケーブルコネクタ３０の用途を識別することができる。例えば、ケーブルコネクタ３０がパーソナルコンピュータに接続される場合、ユーザは“ＰＣ”という文字の形成された第１の区域３１１がサブボディ２３０のウィンドウ２３８に現れるように円板部材３１０を回転させることができる。これと同様に、ケーブルコネクタ３０がブルーレイディスクプレーヤーに接続される場合、ユーザは“ＢＤＰ”という文字の形成された第２の区域３１２がサブボディ２３０のウィンドウ２３８に現れるように円板部材３１０を回転させることができ、ケーブルコネクタ３０がＤＶＤプレーヤーに接続される場合、ユーザは“ＤＶＤ”という文字の形成された第３の区域３１３がサブボディ２３０のウィンドウ２３８に現れるように円板部材３１０を回転させることができ、ケーブルコネクタ３０がホームシアターシステムに接続される場合、ユーザは“ＨＴＳ”という文字の形成された第４の区域３１４がサブボディ２３０のウィンドウ２３８に現れるように円板部材３１０を回転させることができる。このように、円板部材３１０を通じてユーザはケーブルコネクタ３０の用途を容易に識別することができる。
【００６７】
これとは違って、円板部材３１０の各区域３１１〜３１４には、“Ａ”、“Ｂ”、“Ｃ”、“Ｄ”のような文字や、“１”、“２”、“３”、“４”のような数字が形成されてよい。または、文字や数字なしに色相のみによって円板部材３１０の各区域３１１〜３１４が区別されてよい。
【００６８】
第３実施形態では、円板部材３１０が４つの区域３１１〜３１４に分割されたが、必要に応じては、円板部材３１０は多様な個数の区域に分割できることを理解すべきである。なお、円板部材３１０がサブボディ２３０に装着されずに、メインボディ２２０に装着されてよい。円板部材３１０の装着位置は必要に応じて多様に変更できることを理解すべきである。
【００６９】
図１６および図１７を参照し、第４実施形態に係るケーブルコネクタ４０を説明する。上述の実施形態で説明した構成要素と同様の機能および作用を有する構成要素には同様の参照符号を付けて詳細な説明は省略する。
【００７０】
図１６は、第４実施形態に係るケーブルコネクタ４０を概略的に示すものであり、図１７は図１６に示されたリング部材３２０を概略的に示すものである。
【００７１】
第４実施形態では、表示ユニット３００がリング部材３２０を含む。リング部材３２０はコネクタ２００のサブボディ２３０に回転自在に装着される。図１７に示すように、リング部材３２０が表示部３２１とグリップ部３２２を含む。
【００７２】
表示部３２１は複数個の区域に分割される。グリップ部３２２外部に露出され、ユーザはグリップ部３２２を握ってリング部材３２０を回転させることができる。
【００７３】
第３実施形態のように、第４実施形態にはユーザがサブボディ２３０に形成されたウィンドウ２３８を介して現れる表示部３２１の特定の区域を見てケーブルコネクタ４０の用途を容易に識別することができる。
【００７４】
図１８を参照して、第５実施形態に係るケーブルコネクタ５０を説明する。上述の実施形態で説明した構成要素と同様の機能および作用を有する構成要素には同様の参照符号を付けて詳細な説明は省略する。
【００７５】
図１８は、第５実施形態に係るケーブルコネクタ５０を概略的に示すものである。
【００７６】
第５実施形態では、コネクタ２００と隣接したケーブル１００の一部区間にフレキシブル（ｆｌｅｘｉｂｌｅ）コイル４００が形成される。ユーザはフレキシブルコイル４００の形状を容易に変形させることができ、フレキシブルコイル４００は変形された形状を維持することができる。図１８では、フレキシブルコイル４００が９０度の角度でベンディングされた様子が示されたが、フレキシブルコイル４００の形状は多様に変形できることを理解すべきである。
【００７７】
第５実施形態に係るケーブルコネクタ５０が電子機器の端子部に接続された場合、ユーザはフレキシブルコイル４００の形状を変形してケーブルコネクタ５０の隣接した別のケーブルコネクタに干渉されることを防止することができる。フレキシブルコイル４００によってコネクタ２００と隣接した部分にあるケーブル１００の形状を調節できるため、コネクタ２００には回転部材２１０が省略されてよい。
【００７８】
フレキシブルコイル４００が形成された部分とフレキシブルコイル４００の形成されていない部分との間に生じかねない段差をなくすため、フレキシブルコイル４００の直径は、ケーブル１００の被覆１０１の直径と同様であることが望ましい。
【００７９】
図１９および図２０を参照し、第６実施形態に係るケーブルコネクタ６０を説明する。上述の実施形態で説明した構成要素と同様の機能および作用を有する構成要素には同様の参照符号を付けて詳細な説明は省略する。
【００８０】
図１９は、第６実施形態に係るケーブルコネクタ６０を概略的に示すものであり、図２０はず１９のＸＸ−ＸＸ線に沿った断面を概略的に示すものである。
【００８１】
図２０に示すように、第６実施形態ではフレキシブルコイル４００がケーブル１００の被覆１０１内に形成される。フレキシブルコイル４００が外部に露出されないため、見た目上ケーブル１００は均一な形状をもつようになる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８３】
１０  ケーブルコネクタ
１００  ケーブル
２００  コネクタ
２１０  回転部材
２１５ａ、ｂ  第１、第２の回転ボス
２２０  メインボディ
２２１  回転部材装着部
２２５  第１の内部コネクタ
２３０  サブボディ
２３１  プラグ
２３２  離脱防止突起
２３５  第２の内部コネクタ
【図１】
2012033491.tif 000003
【図２】
2012033491.tif 000004
【図３】
2012033491.tif 000005
【図４】
2012033491.tif 000006
【図５】
2012033491.tif 000007
【図６】
2012033491.tif 000008
【図７】
2012033491.tif 000009
【図８】
2012033491.tif 000010
【図９】
2012033491.tif 000011
【図１０】
2012033491.tif 000012
【図１１】
2012033491.tif 000013
【図１２】
2012033491.tif 000014
【図１３】
2012033491.tif 000015
【図１４】
2012033491.tif 000016
【図１５】
2012033491.tif 000017
【図１６】
2012033491.tif 000018
【図１７】
2012033491.tif 000019
【図１８】
2012033491.tif 000020
【図１９】
2012033491.tif 000021
【図２０】
2012033491.tif 000022